(57)【要約】【課題】  蓋部が閉じられた状態において、外蓋フラップの向かい合う先端間が離間したものであっても、内部への異物の侵入がない包装箱を提供する。【解決手段】包装箱１は、２つの外蓋フラップ３１，３２と、２つの内蓋フラップ３３、３４を備える。内蓋フラップは、切り抜き部１１，１２，１３，１４により形成された上部フラップ３５、３６と、先端が上部フラップ３５、３６の先端まで延びる隙間封鎖用延出部３７、３８を備える。外蓋フラップは、他方の外蓋フラップの先端中央部と重なる積層部３９を備える。内蓋フラップ３３、３４は、折り曲げられたとき先端部が、積層部３９の下方となるように形成されおり、隙間封鎖用延出部３７、３８は、折り曲げられた外蓋フラップ３１、３２の先端部の下方となるように設けられている。【選択図】  図１
2014144778.tif 000002
【特許請求の範囲】
【請求項１】
第１の側面部と、前記第１の側面部と向かい合う第２の側面部と、第３の側面部と、前記第３の側面部と向かい合う第４の側面部とからなる少なくとも４つの略矩形状の側面部と、前記矩形状の側面部の上辺と連接した複数の蓋部フラップと、前記矩形状の側面部の下辺と連接した複数の底部フラップとを備える多角形筒状の包装箱であって、
前記複数の蓋部フラップは、前記第１の側面部の上辺に設けられた第１の外蓋フラップと、前記第２の側面部の上辺に設けられた第２の外蓋フラップと、前記第３の側面部の上辺に設けられた第１の内蓋フラップと、前記第４の側面部の上辺に設けられた第２の内蓋フラップとからなり、
さらに、前記第１の内蓋フラップは、前記第３の側面部の上辺付近に設けられた折曲可能部を介して起立可能かつ折り曲げ後の前記外蓋フラップ上に折り曲げ可能に形成された第１の上部フラップと、前記第１の上部フラップを形成するための部分的切り抜き部を有し、前記第２の内蓋フラップは、前記第４の側面部の上辺付近に設けられた折曲可能部を介して起立可能かつ折り曲げ後の前記外蓋フラップ上に折り曲げ可能に形成された第２の上部フラップと、前記第２の上部フラップを形成するための部分的切り抜き部を有し、
さらに、前記第１の内蓋フラップは、前記切り抜き部の内側より前記第１の上部フラップの先端まで延びる第１の隙間封鎖用延出部を備え、前記第２の内蓋フラップは、前記切り抜き部の内側より前記第２の上部フラップの先端まで延びる第２の隙間封鎖用延出部を備え、
前記第１の外蓋フラップまたは前記第２の外蓋フラップは、一方の外蓋フラップの先端中央部より突出し、折り曲げられたときに、他方の外蓋フラップの先端中央部と重なる積層部を備え、前記第１の内蓋フラップおよび前記第２の内蓋フラップは、折り曲げられたとき先端部が、前記積層部の下方となるように形成されており、かつ、
前記第１の隙間封鎖用延出部および前記第２の隙間封鎖用延出部は、折り曲げられた前記第１の外蓋フラップおよび前記第２の外蓋フラップの先端部の下方となる位置に設けられていることを特徴とする包装箱。
【請求項２】
前記複数の底部フラップは、前記第１の側面部の下辺に設けられた第１の外底フラップと、前記第２の側面部の下辺に設けられた第２の外底フラップと、前記第３の側面部の下辺に設けられた第１の内底フラップと、前記第４の側面部の下辺に設けられた第２の内底フラップとからなるものである請求項１に記載の包装箱。
【請求項３】
前記包装箱は、前記内底フラップの下面かつ前記外底フラップの側縁の外側に形成された向かい合う２つの凹部を備え、前記２つの凹部は、前記２つの上部フラップの形状に対応し、積層時に下層となる包装箱の前記２つの上部フラップを収納可能な形状となっている請求項２に記載の包装箱。
【請求項４】
前記包装箱は、前記各側面部間を連結する４つの略矩形状のコーナー側面部を備え、かつ、１つのコーナー側面部は、隣り合う側面部に設けられた２つのコーナー部形成用側面部が重ね合わされ接合された接合コーナー側面部となっている請求項１ないし３のいずれかに記載の包装箱。
【請求項５】
前記蓋部フラップは、前記内蓋フラップの内縁と前記上部フラップの外縁間に設けられ、前記隙間封鎖用延出部を介して区分された２つの上部フラップ起立作業用切欠部を備えている請求項１ないし４のいずれかに記載の包装箱。
【請求項６】
前記第１の外蓋フラップおよび前記第２の外蓋フラップは、折り曲げられたときに、前記積層部を除く先端部間に隙間が形成されるものとなっている請求項１ないし５のいずれかに記載の包装箱。
【発明の詳細な説明】
【技術分野】
【０００１】
本発明は、包装箱に関する。
【背景技術】
【０００２】
複数の商品を収納するための包装箱として、各種のものが用いられている。近年では、包装箱として、積層した場合に、荷崩れにしくいものが、販売されている。このような荷崩れしにくい包装箱としては、例えば、特許文献１（特開２０１２−２１０９６０）に開示されているものがある。
【０００３】
特許文献１のダンボール箱１０は、特許文献１の図２に示すような所定の形状に裁断されたダンボール板１２を折曲げ線１３ａ，１３ｂに沿って折り曲げることで、特許文献１の図１及び図３（ａ），（ｂ）にも示すように、内フラップ１４ａ，１４ｂが連設される一対の短辺部側面板１５、外フラップ１６ａ，１６ｂが連設される一対の長辺部側面板１７、及び各隣接する短辺部側面板１５と長辺部側面板１７との間に介在する４箇所の斜辺部側面板１８からなる８角形断面の側面部１９と、一対の天面部内フラップ１４ａ及び一対の天面部外フラップ１６ａによって形成される天面部２０と、一対の底面部内フラップ１４ｂ及び一対の底面部外フラップ１６ｂによって形成される底面部２１と、を備えるように形成されると共に、少なくとも一方の天面部外フラップ１６ａから長辺部側面板１７に亘って一対の破断誘導線１１が設けられているダンボール製の箱体となっている。短辺部側面板１５の上端部に連設される天面部内フラップ１４ａ、及び短辺部側面板１５の下端部に連設される底面部内フラップ１４ｂは、その両側縁部２２が、各々両側の長辺部側面板１７の内側面に沿って配置される形状を有している。
【０００４】
さらに、特許文献１のダンボール箱１０では、一対の短辺部側面板１５の上方に連設する天面部内フラップ１４ａは、ダンボール板１２において、その先端縁部を天面部外フラップ１６ａの先端縁部２３と揃えた状態で裁断されている。天面部内フラップ１４ａは、ダンボール箱１０を組み立てた際に、両側の斜辺部側面板１８及び両側の長辺部側面板１７の内側に納まる形状に形成されると共に、その先端側の部分の両側縁部２２を、両側の長辺部側面板１７の内側面に沿って当該内側面に当接させた状態で配置できる形状に形成される。また天面部内フラップ１４ａには、短辺部側面板１５との間の横方向折曲げ線１３ｂから先端側に向けて、略Ｕ字形状の切込み２８が形成されており、この切込み２８の内側部分が、位置合わせ段差凸部２５を設けるための舌状片２９となっている。
【０００５】
そして、ダンボール箱１０を組み立てる際に、天面部内フラップ１４ａに対して舌状片２９を起こしておき、天面部内フラップ１４ａの外側に天面部外フラップ１６ａを重ね合わせて天面部２０を形成した後に、この舌状片２９を天面部外フラップ１６ａの上面に重ねて配置することによって、天面部２０の短辺部側面板１５と連続する部分に、位置合わせ段差凸部２５を設けることができる。ダンボール箱１０を上下に積み重ねる際に、上段のダンボール箱１０の底面部２１に形成された位置合わせ段差凹部２６を、下段のダンボール箱１０の天面部２０に形成された位置合わせ段差凸部２５に係止することで、ダンボール箱１０を上下に容易に位置決めさせて、安定した状態でダンボール箱１０を積み重ねることが可能となっている。
【先行技術文献】
【特許文献】
【０００６】
【特許文献１】特開２０１２−２１０９６０
【発明の概要】
【発明が解決しようとする課題】
【０００７】
しかし、特許文献１のものでは、２つの天面部外フラップ１６ａの向かい合う先端を両者間に隙間がないように接合しなければ、隙間が形成され、その隙間より、埃等の異物が箱内に侵入する可能性がある。
そこで、本発明は、包装箱の蓋部フラップが閉じられた状態において、２つの外蓋フラップ（天面部外フラップ）の向かい合う先端間が若干離間した状態であっても、隙間が形成されず、内部への異物の侵入がない包装箱を提供するものである。
【課題を解決するための手段】
【０００８】
上記目的を達成するものは、以下のものである。
（１）  第１の側面部と、前記第１の側面部と向かい合う第２の側面部と、第３の側面部と、前記第３の側面部と向かい合う第４の側面部とからなる少なくとも４つの略矩形状の側面部と、前記矩形状の側面部の上辺と連接した複数の蓋部フラップと、前記矩形状の側面部の下辺と連接した複数の底部フラップとを備える多角形筒状の包装箱であって、
前記複数の蓋部フラップは、前記第１の側面部の上辺に設けられた第１の外蓋フラップと、前記第２の側面部の上辺に設けられた第２の外蓋フラップと、前記第３の側面部の上辺に設けられた第１の内蓋フラップと、前記第４の側面部の上辺に設けられた第２の内蓋フラップとからなり、
さらに、前記第１の内蓋フラップは、前記第３の側面部の上辺付近に設けられた折曲可能部を介して起立可能かつ折り曲げ後の前記外蓋フラップ上に折り曲げ可能に形成された第１の上部フラップと、前記第１の上部フラップを形成するための部分的切り抜き部を有し、前記第２の内蓋フラップは、前記第４の側面部の上辺付近に設けられた折曲可能部を介して起立可能かつ折り曲げ後の前記外蓋フラップ上に折り曲げ可能に形成された第２の上部フラップと、前記第２の上部フラップを形成するための部分的切り抜き部を有し、
さらに、前記第１の内蓋フラップは、前記切り抜き部の内側より前記第１の上部フラップの先端まで延びる第１の隙間封鎖用延出部を備え、前記第２の内蓋フラップは、前記切り抜き部の内側より前記第２の上部フラップの先端まで延びる第２の隙間封鎖用延出部を備え、
前記第１の外蓋フラップまたは前記第２の外蓋フラップは、一方の外蓋フラップの先端中央部より突出し、折り曲げられたときに、他方の外蓋フラップの先端中央部と重なる積層部を備え、前記第１の内蓋フラップおよび前記第２の内蓋フラップは、折り曲げられたとき先端部が、前記積層部の下方となるように形成されており、かつ、
前記第１の隙間封鎖用延出部および前記第２の隙間封鎖用延出部は、折り曲げられた前記第１の外蓋フラップおよび前記第２の外蓋フラップの先端部の下方となる位置に設けられている包装箱。
【０００９】
（２）  前記複数の底部フラップは、前記第１の側面部の下辺に設けられた第１の外底フラップと、前記第２の側面部の下辺に設けられた第２の外底フラップと、前記第３の側面部の下辺に設けられた第１の内底フラップと、前記第４の側面部の下辺に設けられた第２の内底フラップとからなるものである上記（１）に記載の包装箱。
（３）  前記包装箱は、前記内底フラップの下面かつ前記外底フラップの側縁の外側に形成された向かい合う２つの凹部を備え、前記２つの凹部は、前記２つの上部フラップの形状に対応し、積層時に下層となる包装箱の前記２つの上部フラップを収納可能な形状となっている上記（２）に記載の包装箱。
（４）  前記包装箱は、前記各側面部間を連結する４つの略矩形状のコーナー側面部を備え、かつ、１つのコーナー側面部は、隣り合う側面部に設けられた２つのコーナー部形成用側面部が重ね合わされ接合された接合コーナー側面部となっている上記（１）ないし（３）のいずれかに記載の包装箱。
（５）  前記蓋部フラップは、前記内蓋フラップの内縁と前記上部フラップの外縁間に設けられ、前記隙間封鎖用延出部を介して区分された２つの上部フラップ起立作業用切欠部を備えている上記（１）ないし（４）のいずれかに記載の包装箱。
（６）  前記第１の外蓋フラップおよび前記第２の外蓋フラップは、折り曲げられたときに、前記積層部を除く先端部間に隙間が形成されるものとなっている上記（１）ないし（５）のいずれかに記載の包装箱。
【発明の効果】
【００１０】
本発明の包装箱は、第１の外蓋フラップまたは第２の外蓋フラップは、一方の外蓋フラップの先端中央部より突出し、折り曲げられたときに、他方の外蓋フラップの先端中央部と重なる積層部を備え、かつ、第１の内蓋フラップおよび第２の内蓋フラップは、折り曲げられたとき先端部が、積層部の下方となるように形成されている。このため、第１の外蓋フラップおよび第２の外蓋フラップが折り曲げられ、積層部が他方の外蓋フラップの先端中央部と重なった状態において、積層部以外の部分における第１の外蓋フラップの先端と第２の外蓋フラップの先端間に隙間があっても、下方に第１の内蓋フラップまたは第２の内蓋フラップが位置するものとなっている。さらに、第１の内蓋フラップは第１の隙間封鎖用延出部を備え、第２の内蓋フラップは、第２の隙間封鎖用延出部を備え、かつ、第１の隙間封鎖用延出部および第２の隙間封鎖用延出部は、折り曲げられた第１の外蓋フラップおよび第２の外蓋フラップの先端部の下方となる位置に設けられているため、２つの上部フラップにより被包されない隙間の全体の下方に、第１の内蓋フラップまたは第２の内蓋フラップが位置するものとなっており、包装箱１の上面（蓋部）には、実質的な隙間が形成されず、隙間に起因する異物混入を防止している。
さらに、積層部を上部フラップと接する位置まで延長すれば、隙間をなくすことができるが、当該接する位置における隙間を完全に否定することはできない。また、同位置で隙間がないものとすることは、製造上極めて困難を伴うものである。しかし、本発明によれば製造上の困難性を伴うことなく、上述したように包装箱の上面（蓋部）に実質的な隙間の形成を防止することができる。
【図面の簡単な説明】
【００１１】
【図１】図１は、本発明の実施例の包装箱の上面側から見た斜視図である。
【図２】図２は、図１に示した包装箱の底面側から見た斜視図である。
【図３】図３は、本発明の実施例の包装箱の展開図である。
【図４】図４は、図３の部分省略拡大図である。
【図５】図５は、蓋部フラップを広げた状態の本発明の包装箱の平面図である。
【図６】図６は、図５に示す状態から、２つの内蓋フラップを閉じた状態の本発明の包装箱の平面図である。
【図７】図７は、図６に示す状態から、２つの外蓋フラップを閉じた状態の本発明の包装箱の平面図である。
【図８】図８は、図７に示す状態から、２つの上部フラップを閉じた状態の本発明の包装箱の平面図である。
【図９】図９は、底部フラップを広げた状態の本発明の包装箱の底面図である。
【図１０】図１０は、図９に示す状態から、底部フラップを閉じた状態の本発明の包装箱の平面図である。
【図１１】図１１は、本発明の他の実施例を説明するための説明図である。
【図１２】図１２は、本発明の他の実施例の包装箱の上面側から見た斜視図である。
【図１３】図１３は、図１２に示した本発明の包装箱を説明するための説明図である。
【図１４】図１４は、本発明の他の実施例の包装箱の上面側から見た斜視図である。
【図１５】図１５は、図１４に示した実施例の包装箱の底面側から見た斜視図である。
【発明を実施するための形態】
【００１２】
本発明の包装箱を図面に示した実施例を用いて説明する。
本発明の包装箱１は、第１の側面部２１と、第１の側面部２１と向かい合う第２の側面部２２と、第３の側面部２３と、第３の側面部２３と向かい合う第４の側面部２４とからなる少なくとも４つの略矩形状の側面部と、矩形状の側面部の上辺と連接した複数の蓋部フラップと、矩形状の側面部の下辺と連接した複数の底部フラップとを備える多角形筒状の包装箱である。
そして、複数の蓋部フラップは、第１の側面部２１の上辺に設けられた第１の外蓋フラップ３１と、第２の側面部２２の上辺に設けられた第２の外蓋フラップ３２と、第３の側面部２３の上辺に設けられた第１の内蓋フラップ３３と、第４の側面部２４の上辺に設けられた第２の内蓋フラップ３４とからなる。
さらに、第１の内蓋フラップ３３は、第３の側面部の上辺付近に設けられた折曲可能部を介して、第１の内蓋フラップ３３に対して起立可能、かつ折り曲げ後の外蓋フラップ３１，３２上に折り曲げ可能に形成された第１の上部フラップ３５と、第１の上部フラップ３５を形成するための部分的切り抜き部１１，１２を有し、第２の内蓋フラップ３４は、第４の側面部の上辺付近に設けられた折曲可能部を介して、第２の内蓋フラップ３４に対して起立可能、かつ折り曲げ後の外蓋フラップ３１，３２上に折り曲げ可能に形成された第２の上部フラップ３６と、第２の上部フラップ３６を形成するための部分的切り抜き部１３，１４を備える。
【００１３】
さらに、第１の内蓋フラップ３３は、切り抜き部１１，１２の内側より第１の上部フラップ３５の先端まで延びる第１の隙間封鎖用延出部３７を備え、第２の内蓋フラップ３４は、切り抜き部１３，１４の内側より第２の上部フラップ３６の先端まで延びる第２の隙間封鎖用延出部３８を備える。
そして、第１の外蓋フラップ３１または第２の外蓋フラップ３２は、一方の外蓋フラップの先端中央部より突出し、折り曲げられたときに、他方の外蓋フラップの先端中央部と重なる積層部３９を備える。
また、第１の内蓋フラップ３３および第２の内蓋フラップ３４は、図７に示すように、折り曲げられたとき先端部が、積層部３９の下方となるように形成されている。さらに、第１の隙間封鎖用延出部３７および第２の隙間封鎖用延出部３８は、折り曲げられた第１の外蓋フラップ３１および第２の外蓋フラップ３２の先端部の下方となる位置に設けられている。
【００１４】
本発明の包装箱は、図８に示すように、第１の外蓋フラップ３１または第２の外蓋フラップ３２は、一方の外蓋フラップの先端中央部より突出し、折り曲げられたときに、他方の外蓋フラップの先端中央部と重なる積層部３９（具体的には、第１の外蓋フラップ３１が備える）を備え、かつ、第１の内蓋フラップ３３および第２の内蓋フラップ３４は、折り曲げられたとき先端部が、積層部３９の下方となるように形成されている。このため、第１の外蓋フラップ３１および第２の外蓋フラップ３２が折り曲げられ、積層部３９が他方の外蓋フラップの先端中央部と重なった状態において、積層部以外の部分における第１の外蓋フラップ３１の先端と第２の外蓋フラップ３２の先端間に隙間があっても、下方に第１の内蓋フラップ３３または第２の内蓋フラップ３４が位置する。さらに、第１の内蓋フラップ３３は、第１の隙間封鎖用延出部３７を備え、第２の内蓋フラップ３４は、第２の隙間封鎖用延出部３８を備え、かつ、第１の隙間封鎖用延出部３７および第２の隙間封鎖用延出部３８は、折り曲げられた第１の外蓋フラップ３１および第２の外蓋フラップ３２の先端部の下方となる位置に設けられている。このため、折り曲げられた２つの上部フラップ３５，３６により被包されない第１の外蓋フラップの先端と第２の外蓋フラップの先端間の隙間の全体の下方に、第１の内蓋フラップ３３または第２の内蓋フラップ３４が位置するものとなっており、包装箱１の上面（蓋部）には、実質的な隙間が形成されず、隙間に起因する異物混入を防止している。
【００１５】
本発明の包装箱は、どのようなものを収納してもよいが、例えば、高い衛生性を求められるもの、例えば、食品、医薬品を複数梱包する場合に有効である。また、食品、医薬品としては、スープや粥、半固形栄養剤、流動食、ゼリー飲料、粉末（顆粒を含む）スープ等の流動性食品、輸液剤や、粉末（顆粒を含む）医薬品があげられる。また、収納物の形態としては、パウチ、ガセット袋等の袋状の柔包装体である場合、特に有効である。
そして、この実施例の包装箱１を形成可能な包装箱作成用台紙（切り抜き済みかつ折り曲げ前形態）１０は、図３および図４に示すような各部位を備えている。また、この包装箱作成用台紙１０は、１枚の横長のシート（具体的には、板紙、ダンボール紙）を部分的に切断および打ち抜くことにより、その基本構成が形成されている。
本発明の包装箱１および包装箱作成用台紙１０は、複数の略矩形状の側面部を備える環状側面部形成部２と、環状側面部形成部の上辺と折り曲げ可能部を介して連接する蓋部形成部（蓋部フラップ）３と、環状側面部形成部の下辺と折り曲げ可能部を介して連接する底部形成部（底部フラップ）４とを備えている。
そして、図５は、蓋部フラップの説明のために、すべて開いた状態を示している。しかし、包装箱の組立において、図５のように、蓋部フラップを外側に開く必要はなく、側面部と同一平面となった状態にて、順次折り曲げられる。
【００１６】
環状側面部形成部は、矩形状の第１の側面部２１と、第１の側面部２１と向かい合いかつほぼ同じ形状に形成された矩形状の第２の側面部２２と、第１の側面部２１と第２の側面部２２間に位置する矩形状の第３の側面部２３と、第３の側面部２３と向かい合いかつほぼ同じ形状に形成された矩形状の第４の側面部２４とからなる少なくとも４つの略矩形状の主側面部を備えている。なお、この実施例では、第１の側面部２１および第２の側面部２２に比べて、第３の側面部２３および第４の側面部２４は、幅が狭いものとなっている。また、各側面部の高さは、同じものとなっている。
【００１７】
さらに、この実施例の包装箱１では、環状側面部形成部は、各側面部間を連結する略矩形状の４つのコーナー側面部２５，２６，２７，２８、２９を備え、かつ、１つのコーナー側面部は、図５に示すように、隣り合う側面部に設けられた２つのコーナー部形成用側面部２８，２９が重ね合わされ接合された接合コーナー側面部７となっている。この接合コーナー側面部７が形成されることにより、環状側面部形成部は、環状側面部となる。
より具体的には、第１の側面部２１と第３の側面部２３間には、側面部２１，２３より幅が狭い、第１のコーナー側面部２５が設けられている。第３の側面部２３と第２の側面部２２間には、側面部２２，２３より幅が狭い、第２のコーナー側面部２６が設けられている。第２の側面部２２と第４の側面部２４間には、側面部２２，２４より幅が狭い、第３のコーナー側面部２７が設けられている。第４の側面部２４の第３のコーナー側縁部が設けられた側縁と対向する側縁には、第１のコーナー部形成用側面部２８が設けられ、第１の側面部２１の側縁には、第２のコーナー部形成用側面部２９が設けられている。コーナー側面部２５，２６，２７は、ほぼ同じ幅を有し、コーナー部形成用側面部２８，２９は、コーナー側面部２５，２６，２７より若干幅が狭いものとなっている。
【００１８】
また、第１の側面部２１と第１のコーナー側面部２５は、折曲可能部５１を介して連接している。第１のコーナー側面部２５と第３の側面部２３は、折曲可能部５２を介して連接している。第３の側面部２３と第２のコーナー側面部２６は、折曲可能部５３を介して連接している。第２のコーナー側面部２６と第２の側面部２２は、折曲可能部５４を介して連接している。第２の側面部２２と第３のコーナー側面部２７は、折曲可能部５５を介して連接している。第３のコーナー側面部２７と第４の側面部２４は、折曲可能部５６を介して連接している。第４の側面部２４と第１のコーナー部形成用側面部２８は、折曲可能部５７を介して連接している。そして、第１の側面部２１は、折曲可能部５８を介して第２のコーナー部形成用側面部２９と連接している。
そして、この実施例の包装箱１は、図１ないし図３に示すように、４つの主側面部と４つのコーナー側面部とを備えることにより、横断面が略８角形となった８角柱状体となっている。このように、包装箱の角部が、いわゆる直角に屈曲せず、隣り合う主側面部が傾斜するコーナー側面部により連結されていることにより、強度が強く潰れにくいとともに、収納した内容物の箱内移動を規制するものとなっている。
【００１９】
蓋部形成部は、複数の蓋部フラップにより構成されている。蓋部フラップは、図１、図３ないし図８に示すように、第１の側面部２１の上辺に、折曲可能部６１を介して連接された第１の外蓋フラップ３１と、第２の側面部２２の上辺に、折曲可能部６３を介して連接された第２の外蓋フラップ３２と、第３の側面部２３の上辺に、折曲可能部７１を介して連接された設けられた第１の内蓋フラップ３３と、第４の側面部２４の上辺に、折曲可能部７２を介して連接された設けられた第２の内蓋フラップ３４とからなる。
【００２０】
さらに、第１の内蓋フラップ３３は、部分的に切り抜くことにより形成された切り抜き部１１、１２を備えており、第１の上部フラップ３５は、主な外縁が切り抜き部１１、１２の内縁により形成されている。同様に、第２の内蓋フラップ３４も、部分的に切り抜くことにより形成された切り抜き部１３、１４を備えており、第２の上部フラップ３６は、主な外縁が切り抜き部１３、１４の内縁により形成されている。第１の上部フラップ３５は、第３の側面部２３の上辺付近に設けられた折曲可能部６２を介して、第１の内蓋フラップ３３に対して起立可能、かつ折り曲げ後の外蓋フラップ３１，３２上に折り曲げ可能に形成されている。同様に、第２の上部フラップ３６も、第４の側面部２４の上辺付近に設けられた折曲可能部６４を介して、第２の内蓋フラップ３４に対して起立可能、かつ折り曲げ後の外蓋フラップ３１，３２上に折り曲げ可能に形成されている。
【００２１】
なお、切り抜き部１１、１２、１３、１４は、内蓋フラップ３３，３４より、上部フラップ３５、３６を引き起こす際に、治具もしくは指の挿入に用いられるものである。このような切り抜き部を設けることにより、箱形成時に、容易に内蓋フラップ３３，３４より、上部フラップ３５、３６を引き起こすことが可能となる。
言い換えれば、この実施例の包装箱は、内蓋フラップ３３，３２の内縁と上部フラップ３５，３６の外縁間に設けられ、後述する隙間封鎖用延出部３７，３８を介して区分された２つの上部フラップ起立作業用切欠部１１、１２、１３、１４を備えるものとなっている。
【００２２】
そして、包装箱作成用台紙１０は、第１の外蓋フラップ３１の基端部の第１の内蓋フラップ３３側の側部および第１の内蓋フラップ３３の基端部の第１の外蓋フラップ３１側の側部を形成する切欠部１５と、第１の内蓋フラップ３３の基端部の第２の外蓋フラップ３２側の側部および第２の外蓋フラップ３２の基端部の第１の内蓋フラップ３３側の側部を形成する切欠部１６と，第２の外蓋フラップ３２の基端部の第２の内蓋フラップ３４側の側部および第２の内蓋フラップ３４の基端部の第２の外蓋フラップ３２側の側部を形成する切欠部１７を備えている。
【００２３】
また、包装箱作成用台紙１０は、第１の外底フラップ４１の基端部の第１の内底フラップ４３側の側部および第１の内底フラップ４３の基端部の第１の外底フラップ４１側の側部を形成する切欠部１８と、第１の内蓋底ラップ４３の基端部の第２の外底フラップ４２側の側部および第２の外底フラップ４２の基端部の第１の内底フラップ４３側の側部を形成する切欠部１９と，第２の外底フラップ４２の基端部の第２の内底フラップ４４側の側部および第２の内底フラップ４４の基端部の第２の外底フラップ４２側の側部を形成する切欠部２０を備えている。
【００２４】
そして、図４に示すように、第１の内蓋フラップ３３は、切り抜き部１１，１２の内側より第１の上部フラップ３５の先端まで延びる第１の隙間封鎖用延出部３７を備えている。同様に、第２の内蓋フラップ３４は、切り抜き部１３，１４の内側より第２の上部フラップ３６の先端まで延びる第２の隙間封鎖用延出部３８を備えている。隙間封鎖用延出部３７、３８の先端と、上部フラップ３５、３６間には、切れ目が形成されており、それらは、連接していない。
また、隙間封鎖用延出部３７、３８は、内蓋フラップ３３，３４の内縁側より、徐々に幅が狭くなるように、上部フラップ３５、３６方向に延びる側面が傾斜した本体部（略台形状部分）３７ａ，３８ａと、側面傾斜部３７ａ，３８ａの先端より、ほぼ同一幅にて延び、上部フラップ３６、３７に到達する先端部（略直方形部分）３７ｂ、３８ｂを備えている。さらに、隙間封鎖用延出部３７、３８の先端側部分（この実施例では、上記先端部および上記本体部の先端側部分）は、段ボールを厚さ方向に押し潰した段潰し部となっている。このように、隙間封鎖用延出部３７、３８の先端側部分を段潰し部とすることにより、内蓋フラップ３３、３４からの分離が確実なものとなり、箱形成時における内蓋フラップ３３，３４からの上部フラップ３５、３６の引き起こしがより容易なものとなる。
【００２５】
なお、隙間封鎖用延出部３７、３８としては、上述のような先細り形態を有することが好ましいが、このようなものに限定されるものではなく、図１１に示すような展開形態（折り曲げ前形態）１０ａを有するものであってもよい。この実施例のものでは、隙間封鎖用延出部３７、３８は、ほぼ同じ幅にて、上部フラップ３５，３６の先端に到達するものとなっている。また、この実施例においても、隙間封鎖用延出部３７、３８の先端側部分は、段ボールを厚さ方向に押し潰した段潰し部となっていることが好ましい。
【００２６】
そして、図１および図７に示すように、第１の外蓋フラップ３１または第２の外蓋フラップ３２は、一方の外蓋フラップの先端中央部より突出し、折り曲げられたときに、他方の外蓋フラップの先端中央部と重なる積層部３９を備える。具体的には、積層部３９は、第１の外蓋フラップ３１の先端中央より、ある程度の長さの幅と短い突出長を有する延出部により形成されている。
また、第１の内蓋フラップ３３および第２の内蓋フラップ３４は、折り曲げられたとき先端部が、積層部３９の下方となるように形成されている。そして、第１の隙間封鎖用延出部３７および第２の隙間封鎖用延出部３８は、折り曲げられた第１の外蓋フラップ３１および第２の外蓋フラップ３２の先端部の下方となる位置に設けられている。
【００２７】
特に、この実施例の包装箱１では、図３に示すように、第１の外蓋フラップ３１は、積層部３９を除く図２における縦方向長さ（突出長）が、第２の内蓋フラップ３４の図２における縦方向長さ（突出長）より、若干短いものとなっている。このため、図７に示すように、第１の外蓋フラップ３１と第２の外蓋フラップ３２を近接する方向に折り曲げたとき、第１の外蓋フラップ３１の先端と第２の外蓋フラップ３２の先端間により形成される隙間５，６は、第１の内蓋フラップ３３および第２の内蓋フラップ３４の中心線より、図２における縦方向長さ（突出長）が短い第１の外蓋フラップ３１側に若干寄った位置となる。これに対応するように、内蓋フラップ３３、３４に形成される隙間封鎖用延出部３７、３８は、内蓋フラップ３３、３４の中心線より、第１の外蓋フラップ３１側に若干寄った位置、言い換えれば、図２に示すように、第２の外蓋フラップ３２より若干遠ざかる位置に設けられている。これにより、第１の外蓋フラップ３１の先端と第２の外蓋フラップ３２の先端が離間することにより形成される隙間５，６の端部を下方より封鎖する。
【００２８】
そして、図６および図７に示すように、第１および第２の内蓋フラップ３３，３４が近接する方向（環状側面部の内側方向）に、最初に折り曲げられ、続いて、折り曲げられた内蓋フラップ３３，３４上に重なるように、第１および第２の外蓋フラップ３１，３２が近接する方向に折り曲げられる。そして、この状態では、図７に示す隙間５、６の端部は、開放した状態となっている。そして、図８に示すように、上部フラップ３５、３６を、外蓋フラップ３１，３２の側部上に折り曲げることにより、上記隙間５、６の端部が封止される。また、折り曲げられた上部フラップ３５、３６は、外蓋フラップ３１，３２上に位置するため、凸部を形成する。
なお、本発明の包装箱としては、上述したような隙間５，６が形成された場合に有効であるが、このようなものに限定されるものではなく、図１２および図１３に示す実施例の包装箱１ａのように、外蓋フラップ３１，３２の先端間に上述の隙間５、６が形成されないものであってもよい。
【００２９】
そして、包装箱１は、図８に示すように、積層部３９部分にて、第１の外蓋フラップ３１は、第２の外蓋フラップ３２に固着されることにより、封止される。さらに、この実施例の包装箱１では、図３ないし図８に示すように、積層部３９には、上記の固着部の端部より若干側部側となる部分に設けられた破断用切り込み８８が設けられている、さらに、第１の外蓋フラップ３１には、上記の破断用切り込み８８の一端より第１の側面部２１の角部に到達するように延びる２本の破断用斜め切り込み８６が設けられている。さらに、第２の外蓋フラップ３２にも、上述した固着部の側部より、第２の側面部２２の角部に到達するように延びる２本の破断用斜め切り込み８７が設けられている。これにより、破断用切り込み８８を破断し、２つの外蓋フラップ３１，３２を押し広げるように開くことにより、第１の外蓋フラップ３１は、破断用斜め切り込み８６に沿って破断し、第２の外蓋フラップ３２は、破断用斜め切り込み８７に沿って破断し、開口し、収納物を取り出し可能となる。
【００３０】
そして、本発明の包装箱は、図２、図９および図１０に示すように、底部形成部を備えている。底部形成部は、複数の底部フラップにより構成されている。蓋部フラップは、第１の側面部２１の下辺に設けられた第１の外底フラップ４１と、第２の側面部２２の下辺に設けられた第２の外底フラップ４２と、第３の側面部２３の下辺に設けられた第１の内底フラップ４３と、第４の側面部２４の下辺に設けられた第２の内底フラップ４４とを備えている。そして、第１の外底フラップ４１は、折曲可能部６５を介して、第１の側面部２１の下辺と連接している。第２の外底フラップ４２は、折曲可能部６７を介して、第２の側面部２２の下辺と連接している。第１の内底フラップ４３は、折曲可能部６６を介して、第３の側面部２３の下辺と連接している。第２の内底フラップ４４は、折曲可能部６８を介して、第４の側面部２４の下辺と連接している。
【００３１】
そして、図９および図１０に示すように、第１および第２の内底フラップ４３，４４が近接する方向（環状側面部の内側方向）に、最初に折り曲げられ、続いて、折り曲げられた内底フラップ４３，４４上に重なるように、第１および第２の外底フラップ４１，４２が近接する方向に、かつ当接するように折り曲げられる。
また、この実施例の包装箱１は、内底フラップ４３，４４の下面かつ外底フラップの側縁の外側に形成された向かい合う２つの凹部４３ａ，４４ａを備え、２つの凹部４３ａ，４４ａは、２つの上部フラップ３５，３６の形状に対応し、積層時に下層となる包装箱の２つの上部フラップ３５，３６を収納可能な形状となっている。具体的には、図２および図１０に示すように、第１および第２の外底フラップ４１，４２は、両側部に切欠部を備えており、これにより、内底フラップ４３，４４の下面かつ外底フラップの側縁の外側に形成された向かい合う２つの凹部４３ａ，４４ａを備えるものとなっている。さらに、２つの凹部４３ａ，４４ａは、上述した２つの上部フラップ３５，３６の形状に対応し、凹部４３ａ，４４ａは、若干上部フラップ３５，３６より大きいものとなっている。これにより、包装箱１の底面に形成される凹部４３ａ，４４ａは、積層時に下層となる包装箱の２つの上部フラップ３５，３６を収納可能なものとなっている。
【００３２】
そして、この実施例の包装箱１では、第１の外蓋フラップ３１および第２の外蓋フラップ３２は、図１、図７および図８に示すように、コーナー側面部２５，２６，２７，７（２８，２９）の上端を覆うように延びる延出部を備えている。このため、コーナー側面部の上端が露出することなく、コーナー側面部の上端付近に隙間が形成されることを防止している。具体的には、第１の外蓋フラップ３１は、基端側の一方の側部に、接合コーナー側面部７（コーナー側面部２８，２９）の上端を被包する延出部８１を、基端側の他方の側部に、コーナー側面部２５の上端を被包する延出部８２を備える。同様に、第２の外蓋フラップ３２は、基端側の一方の側部に、コーナー側面部２６の上端を被包する延出部８３を、基端側の他方の側部に、コーナー側面部２７の上端を被包する延出部８４を備える。
【００３３】
さらに、この実施例の包装箱１では、第１の外底フラップ４１および第２の外底フラップ４２は、図１、図２および図１０に示すように、コーナー側面部２５，２６，２７，７（２８，２９）の下端を覆うように延びる延出部を備えている。このため、コーナー側面部の下端が露出することなく、コーナー側面部の下端付近に隙間が形成されることを防止している。具体的には、第１の外底フラップ４１は、基端側の一方の側部に、接合コーナー側面部７（コーナー側面部２８，２９）の下端を被包する延出部９１を、基端側の他方の側部に、コーナー側面部２５の下端を被包する延出部９２を備える。同様に、第２の外底フラップ４２は、基端側の一方の側部に、コーナー側面部２６の下端を被包する延出部９３を、基端側の他方の側部に、コーナー側面部２７の下端を被包する延出部９４を備える。
【００３４】
本発明の包装箱としては、上述した実施例のような４つの主側面部と４つのコーナー側面部とを備えることにより、横断面が略８角形となった８角柱状体となっているものが好ましい。しかし、このようなものに限定されるものではない。例えば、図１４および図１５に示す実施例の包装箱１ｂのように、４つのコーナー側面部を備えず、環状側面部が、４つの主側面部により形成された横断面が略長方形のものであってもよい。
【符号の説明】
【００３５】
１、１ａ，１ｂ  包装箱
２１  第１の側面部
２２  第２の側面部
２３  第３の側面部
２４  第４の側面部
３１  第１の外蓋フラップ
３２  第２の外蓋フラップ
３３  第１の内蓋フラップ
３４  第２の内蓋フラップ
３５  第１の上部フラップ
３６  第２の上部フラップ
１１，１２，１３，１４  切り抜き部
３７  第１の隙間封鎖用延出部
３８  第２の隙間封鎖用延出部
【図１】
2014144778.tif 000003
【図２】
2014144778.tif 000004
【図３】
2014144778.tif 000005
【図４】
2014144778.tif 000006
【図５】
2014144778.tif 000007
【図６】
2014144778.tif 000008
【図７】
2014144778.tif 000009
【図８】
2014144778.tif 000010
【図９】
2014144778.tif 000011
【図１０】
2014144778.tif 000012
【図１１】
2014144778.tif 000013
【図１２】
2014144778.tif 000014
【図１３】
2014144778.tif 000015
【図１４】
2014144778.tif 000016
【図１５】
2014144778.tif 000017